(57)【要約】【課題】  再現性よく製造可能な高性能な画像転写液を用いた立体的レプリカの作製方法、該画像転写液を用いた画像転写用媒体、該画像転写用媒体の作製方法、および、該画像転写液を用いた積層レプリカの作成方法の提供。【解決手段】  画像転写液を目的の対象物の画像プリント上に塗布し、乾燥させ画像を含む画像層部分を残して除去し画像プリント上の画像を転写した画像転写フィルムを作製し、該画像を転写した画像転写フィルムを、目的の対象物の立体形状を表した立体物上に貼り付けることを含む対象物の立体的レプリカを作製する方法。【選択図】  なし【特許請求の範囲】
【請求項１】
画像転写液を目的の対象物の画像プリント上に塗布し乾燥させ、画像を含む画像層部分を残して画像プリントの他の部分を除去し画像プリント上の画像を転写した画像転写フィルムを作製し、該画像を転写した画像転写フィルムを、目的の対象物の立体形状を表した立体被転写物上に貼り付けることを含む対象物の立体的レプリカを作製する方法であって、画像転写液が
(a)ビニルアセテートのホモポリマーもしくはその部分加水分解物、またはビニルアセテ
ートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一種
または二種以上を含む成分もしくは(ii) 樹液、果実液、花蜜および蜂蜜の主成分をそれ
ぞれ含む人工樹液、人工果実液、人工花蜜および人工蜂蜜からなる群より選ばれる成分を含む化合物、を含む組成物、
である対象物の立体的レプリカを作製する方法。
【請求項２】
画像転写液を目的の対象物の画像プリント上に塗布し乾燥させ、画像を含む画像層部分を残して画像プリントの他の部分を除去し画像プリント上の画像を転写した画像転写フィルムを作製し、該画像を転写した画像転写フィルムを、可塑性物質上にのせて、画像を転写した画像転写フィルムの上から画像中の線画に従って凹凸を形成し、目的の対象物の立体形状を造形することを含む、対象物の立体的レプリカを作製する方法であって、画像転写液が
(a)ビニルアセテートのホモポリマーもしくはその部分加水分解物、またはビニルアセテ
ートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一種
または二種以上を含む成分もしくは(ii) 樹液、果実液、花蜜および蜂蜜の主成分をそれ
ぞれ含む人工樹液、人工果実液、人工花蜜および人工蜂蜜からなる群より選ばれる成分を含む化合物、を含む組成物、
である対象物の立体的レプリカを作製する方法。
【請求項３】
画像転写液をフィルム形成用基体に塗布し乾燥させ、該フィルム形成用基体表面にフィルムを形成させて製造される、フィルム形成用基体表面に前記画像転写液から形成されたフィルムを有する画像転写用媒体であって、画像転写液が
(a)ビニルアセテートのホモポリマーもしくはその部分加水分解物、またはビニルアセテ
ートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一種
または二種以上を含む成分もしくは(ii) 樹液、果実液、花蜜および蜂蜜の主成分をそれ
ぞれ含む人工樹液、人工果実液、人工花蜜および人工蜂蜜からなる群より選ばれる成分を含む化合物、を含む組成物
である画像転写用媒体。
【請求項４】
請求項３記載の画像転写用媒体のフィルム表面に目的の対象物の画像を印刷し、画像転写用媒体からフィルム以外の部分を除去し画像転写フィルムを得て、該画像転写フィルムを前記画像の対象物の立体形状を表した立体被転写物上に貼り付けることを含む対象物の立体的レプリカを作製する方法。
【請求項５】
さらに、フィルム表面に印刷した目的の対象物の画像表面を請求項３に記載の画像転写液でコーティングすることを含む、請求項４記載の対象物の立体的レプリカを作製する方法。
【請求項６】
請求項３記載の画像転写用媒体のフィルム表面に目的の対象物の画像を印刷し、画像転写用媒体からフィルム以外の部分を除去し画像転写フィルムを得て、該画像転写フィルムを可塑性物質上にのせて、画像転写フィルムの上から画像中の線画に従って凹凸を形成し、画像の対象物の立体形状を造形することを含む、対象物の立体的レプリカを作製する方法。
【請求項７】
さらに、フィルム表面に印刷した目的の対象物の画像表面を請求項３記載の画像転写液でコーティングすることを含む、請求項６記載の対象物の立体的レプリカを作製する方法。
【請求項８】
請求項１、２および４〜７のいずれか１項に記載の方法により作製される、目的の対象物の画像を表している画像転写フィルムが該対象物の立体形状を有する立体物に密着し、全体として対象物の立体像を表している立体的レプリカ。
【請求項９】
(a)ビニルアセテートのホモポリマーもしくはその部分加水分解物、またはビニルアセ
テートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一
種または二種以上を含む成分もしくは(ii) 樹液、果実液、花蜜および蜂蜜の主成分をそ
れぞれ含む人工樹液、人工果実液、人工花蜜および人工蜂蜜からなる群より選ばれる成分を含む化合物、を含む組成物である画像転写液および可塑性物質を含む、立体的レプリカ作製キット。
【請求項１０】
請求項３記載の画像転写用媒体および可塑性物質を含む、立体的レプリカ作製キット。
【請求項１１】
画像転写液を画像プリント上に塗布し乾燥させ、画像を含む画像層部分を残して画像プリントの他の部分を除去し画像プリント上の画像を転写する方法により、目的の立体対象物の異なる位置の複数の断層図であって該複数の断層が互いに平行である断層図を表す複数の画像プリント上に画像転写液を塗布し、それぞれ乾燥させ断層図画像を含む画像層部分を残して除去し複数の画像転写フィルムを作製し、該複数の断層図を表す複数の画像転写フィルムを積層することを含む、対象物の内部の構造を表した立体的レプリカを作製する方法であって、画像転写液が
(a)ビニルアセテートのホモポリマーもしくはその部分加水分解物、またはビニルアセテ
ートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一種
または二種以上を含む成分もしくは(ii) 樹液、果実液、花蜜および蜂蜜の主成分をそれ
ぞれ含む人工樹液、人工果実液、人工花蜜および人工蜂蜜からなる群より選ばれる成分を含む化合物、を含む組成物、である対象物の内部の立体構造を表した軟素材立体的レプリカを作製する方法。
【請求項１２】
請求項３記載の画像転写用媒体のフィルム表面に、目的の立体対象物の異なる位置の複数の断層図であって該複数の断層が互いに平行である断層図を印刷し、該断層図が印刷さ
れた複数の画像転写フィルムを作製し、該複数の断層図を表す複数の画像転写フィルムを積層することを含む、対象物の内部の構造を表した軟素材立体物を作製する方法。
【請求項１３】
請求項１１または１２に記載の方法により製造された軟素材立体的レプリカ。
【発明の詳細な説明】
【技術分野】
【０００１】
本発明は、画像を物体の立体形状を表す立体被転写物に転写することにより立体的レプリカを作製する方法に関する。また、本発明は画像を転写するための画像転写用媒体に関する。さらに、本発明は立体の断層図を表す画像を転写した画像転写フィルムを積層し、転写を利用して立体物の内部構造を再現した立体的レプリカを作製する方法に関する。
【背景技術】
【０００２】
従来より、写真等の画像を物体の表面に貼り付けて物体を装飾するデコパージュ技法が知られていた。デコパージュの技法の中でも、写真等の画像を転写液に写し取り、他の物体に転写するトランスファー技法、ルプゼ技法やデカルク技法により任意の画像を他の任意の物体に転写することができる。また、種々のトランスファー用のキットも市販されている（非特許文献１および非特許文献２参照）。これらの方法において、作品の表面を被う仕上げ剤組成物としては、例えば米国特許第3,616,005号公報に記載された、酢酸ビニ
ルエマルション組成物が知られている。しかし、このエマルション組成物は、デコパージュ仕上げ剤、及びプリントの単なる接着剤として用いられており、商品名「トランスファーコート（株式会社ジャンティー製、転写液）」などは、写真や絵画を表面構造がほぼ平坦な基材に貼り付け転写するいわゆるデコパージュ転写液としており、塗布乾燥後、再び水で濡らしても、伸びが不充分で、基材に対して十分に対応した被膜が得られないという欠点があった。また、従来、フィルムで被覆した印刷用紙や転写用紙などはあるが、用紙から剥離したフィルムは固くて伸びが悪く、画像が割れたり、複雑な構造表面には被覆できないという欠点があった。
【０００３】
本発明者は、先にポリマー成分と白樺樹液等の天然成分を含む皮膜形成用組成物を開発し、この組成物が画像転写液としても好適に用いられることを明らかにした（特開2002-155231号公報）。しかし、該組成液は樹液等の天然物を用いているため製造が必ずしも容
易ではなく、また常に均一なものが用いられる保証がなかった。また、該組成物を用いて立体物のレプリカを作製する方法は開発されていなかった。
【０００４】
一方、本発明者は先に標本を撮影したプリントを可塑性物質に貼り付け可塑性物質を該標本の立体形状に造形することにより盛り合わせレプリカを作製する方法を開発した（特開2000-347561号公報）。しかし、この方法では標本を撮影したプリントを用いるので、
複雑な形状を有する標本のレプリカの作製は容易ではなかった。
【０００５】
【特許文献１】米国特許第3,616,005号公報
【特許文献２】特開2002-155231号公報
【特許文献３】特開2000-347561号公報
【非特許文献１】堀ひろみ著、楽しいクラフトシリーズ3)  はじめてのデコパージュ、日本ヴォーグ社刊、1998年２月１日
【非特許文献２】堀ひろみ著、DECOUPAGE ART、デコパージュ・ハンズ６刊、平成６年３月10日
【発明の開示】
【発明が解決しようとする課題】
【０００６】
本発明は、再現性よく製造可能な高性能な画像転写液を用いた立体的レプリカの作製方法、該画像転写液を用いた画像転写用媒体、該画像転写用媒体の作製方法、該画像転写液を用いた積層レプリカの作製方法、および該立体レプリカの提供を目的とする。
【課題を解決するための手段】
【０００７】
本発明者は、上記の従来技術の欠点を解決すべく鋭意検討を行い、本発明者が開発した皮膜形成用組成物またはその改良組成物を画像転写液として用い、立体物の画像を該立体物の立体形状を表した立体物表面に転写することにより、立体の模様、色彩、絵柄等を正確に再現した対象物の立体的レプリカを作製できることを見出し本発明を完成させた。改良組成物は前記皮膜形成用組成物に含まれる樹液等の天然物の代わりに容易に均一のものを製造できる人工組成物を含む。さらに、本発明者は該画像転写液をフィルム状に加工し、その表面に物の画像を印刷することにより、容易に他の物に画像を転写することができる画像転写用媒体を作製し得ることを見出し本発明を完成させた。さらに、物体の断層図を表す画像を転写した前記画像転写液からなるフィルムを積層することにより立体の構造を再現したレプリカが作製できることを見出し本発明を完成させた。
【０００８】
すなわち、本発明は以下の通りである。
[１]  画像転写液を目的の対象物の画像プリント上に塗布し乾燥させ、画像を含む画像層部分を残して画像プリントの他の部分を除去し画像プリント上の画像を転写した画像転写フィルムを作製し、該画像を転写した画像転写フィルムを、目的の対象物の立体形状を表した立体被転写物上に貼り付けることを含む対象物の立体的レプリカを作製する方法であって、画像転写液が
(a)ビニルアセテートのホモポリマーもしくはその部分加水分解物、またはビニルアセテ
ートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一種
または二種以上を含む成分もしくは(ii) 樹液、果実液、花蜜および蜂蜜の主成分をそれ
ぞれ含む人工樹液、人工果実液、人工花蜜および人工蜂蜜からなる群より選ばれる成分を含む化合物、を含む組成物、
である対象物の立体的レプリカを作製する方法、
[２]  画像転写液を目的の対象物の画像プリント上に塗布し乾燥させ、画像を含む画像層部分を残して画像プリントの他の部分を除去し画像プリント上の画像を転写した画像転写フィルムを作製し、該画像を転写した画像転写フィルムを、可塑性物質上にのせて、画像を転写した画像転写フィルムの上から画像中の線画に従って凹凸を形成し、目的の対象物の立体形状を造形することを含む、対象物の立体的レプリカを作製する方法であって、画像転写液が
(a)ビニルアセテートのホモポリマーもしくはその部分加水分解物、またはビニルアセテ
ートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一種
または二種以上を含む成分もしくは(ii) 樹液、果実液、花蜜および蜂蜜の主成分をそれ
ぞれ含む人工樹液、人工果実液、人工花蜜および人工蜂蜜からなる群より選ばれる成分を含む化合物、を含む組成物、
である対象物の立体的レプリカを作製する方法、
[３]  画像転写液をフィルム形成用基体に塗布し乾燥させ、該フィルム形成用基体表面にフィルムを形成させて製造される、フィルム形成用基体表面に前記画像転写液から形成されたフィルムを有する画像転写用媒体であって、画像転写液が
(a)ビニルアセテートのホモポリマーもしくはその部分加水分解物、またはビニルアセテ
ートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一種
または二種以上を含む成分もしくは(ii) 樹液、果実液、花蜜および蜂蜜の主成分をそれ
ぞれ含む人工樹液、人工果実液、人工花蜜および人工蜂蜜からなる群より選ばれる成分を含む化合物、を含む組成物
である画像転写用媒体、
[４]  [３]の画像転写用媒体のフィルム表面に目的の対象物の画像を印刷し、画像転写用媒体からフィルム以外の部分を除去し画像転写フィルムを得て、該画像転写フィルムを前記画像の対象物の立体形状を表した立体被転写物上に貼り付けることを含む対象物の立体的レプリカを作製する方法、
[５]  さらに、フィルム表面に印刷した目的の対象物の画像表面を[３]に記載の画像転写液でコーティングすることを含む、[４]の対象物の立体的レプリカを作製する方法、
[６]  [３]の画像転写用媒体のフィルム表面に目的の対象物の画像を印刷し、画像転写用媒体からフィルム以外の部分を除去し画像転写フィルムを得て、該画像転写フィルムを可塑性物質上にのせて、画像転写フィルムの上から画像中の線画に従って凹凸を形成し、画像の対象物の立体形状を造形することを含む、対象物の立体的レプリカを作製する方法、[７]  さらに、フィルム表面に印刷した目的の対象物の画像表面を請求項３記載の画像転写液でコーティングすることを含む、[６]の対象物の立体的レプリカを作製する方法、
[８]  [１]、[２]および[４]〜[７]のいずれかの方法により作製される、目的の対象物の画像を表している画像転写フィルムが該対象物の立体形状を有する立体物に密着し、全体として対象物の立体像を表している立体的レプリカ、
[９]  (a)ビニルアセテートのホモポリマーもしくはその部分加水分解物、またはビニル
アセテートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれ
る一種または二種以上を含む成分もしくは(ii) 樹液、果実液、花蜜および蜂蜜の主成分
をそれぞれ含む人工樹液、人工果実液、人工花蜜および人工蜂蜜からなる群より選ばれる成分を含む化合物、を含む組成物である画像転写液および可塑性物質を含む、立体的レプリカ作製キット、
[１０]  [３]の画像転写用媒体および可塑性物質を含む、立体的レプリカ作製キット、
[１１]  画像転写液を画像プリント上に塗布し乾燥させ、画像を含む画像層部分を残して画像プリントの他の部分を除去し画像プリント上の画像を転写する方法により、目的の立体対象物の異なる位置の複数の断層図であって該複数の断層が互いに平行である断層図を表す複数の画像プリント上に画像転写液を塗布し、それぞれ乾燥させ断層図画像を含む画像層部分を残して除去し複数の画像転写フィルムを作製し、該複数の断層図を表す複数の画像転写フィルムを積層することを含む、対象物の内部の構造を表した立体的レプリカを作製する方法であって、画像転写液が
(a)ビニルアセテートのホモポリマーもしくはその部分加水分解物、またはビニルアセテ
ートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一種
または二種以上を含む成分もしくは(ii) 樹液、果実液、花蜜および蜂蜜の主成分をそれ
ぞれ含む人工樹液、人工果実液、人工花蜜および人工蜂蜜からなる群より選ばれる成分を含む化合物、を含む組成物、である対象物の内部の立体構造を表した軟素材立体的レプリカを作製する方法、
[１２]  [３]の画像転写用媒体のフィルム表面に、目的の立体対象物の異なる位置の複数の断層図であって該複数の断層が互いに平行である断層図を印刷し、該断層図が印刷された複数の画像転写フィルムを作製し、該複数の断層図を表す複数の画像転写フィルムを積層することを含む、対象物の内部の構造を表した軟素材立体物を作製する方法、および
[１３]  [１１]または[１２]の方法により製造された軟素材立体的レプリカ。
【発明の効果】
【０００９】
本発明により、物体の立体形状を正確に表した立体的レプリカが得ることができ、凹凸が大きく表面の形状が複雑な物体のレプリカも得ることができる。また、本発明の方法により立体の断層図を表した画像転写フィルムを積層することにより物体の内部構造をも表した立体的レプリカが得られる。
【発明を実施するための最良の形態】
【００１０】
以下、本発明を詳細に説明する。
１．画像転写液
本発明で用いる画像転写液は、
(a)ビニルアセテートのホモポリマーもしくはその部分加水分解物、またはビニルアセテ
ートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分、ならびに(b)(i)
樹液、果実液、花蜜、蜂蜜および糖類からなる群より選ばれる一種
または二種以上を含む成分もしくは(ii) 樹液、果実液、花蜜および蜂蜜の主成分をそれ
ぞれ含む人工樹液、人工果実液、人工花蜜および人工蜂蜜からなる群より選ばれる成分を含む化合物、を含む組成物である。該画像転写液を乾燥させて得られる画像転写フィルムも同じ組成物からなる。
【００１１】
ビニルアセテートのホモポリマーもしくはその部分加水分解物、またはビニルアセテートとアクリル酸エステル、アクリル酸アミド、アクリル酸、メタクリル酸、メタクリル酸エステル、マレイン酸、マレイン酸無水物、及びフマル酸からなる群より選ばれる一種または二種以上のモノマーとのコポリマーもしくはその部分加水分解物を含むポリマー成分はエマルジョンの状態であることが望ましい。この意味で、本発明の成分(a)は、水性ラ
テックスエマルジョンである。ここで、ラテックスとはポリマーまたはコポリマー分子を含有する水性分散体をいう。
【００１２】
ビニルアセテートのホモポリマーもしくはコポリマーを含むエマルジョンは、市販品として入手することができる。例えば手芸店などで販売されている以下の製品群が適用できる。「木工用ボンド(コニシ社製、接着剤)」、「モトポジ  (MOD
PODGE) (PLAID社製、仕上げ剤)」、「ポレア(PLAID社製、仕上げ剤)」、「シャインフィニッシュ(株式会社ジャ
ンティー製、仕上げ剤)」、「ハルグロスハルエンタープライズ社製、仕上げ剤」、「ク
リヤポッジ(アメリカンハンディクラフト社製、仕上げ剤)」、「トップコートグロス(株
式会社ジャンティー製仕上げ剤)」、商品名「トランスファーコート(株式会社ジャンティー製、転写液)」、「ハルトランスファー（ハルエンクープライス社製、転写液）」、「
サンフィニッシェ（（株）サンユー社製、仕上げ剤）」などが挙げられる。従って、本発明の素材にはこれらの市販品の１つまたは複数を含ませることができる。このうちモトポジが好適に用いられ、PLAID社のカタログのITEM#CS11222、CS11221、CS11220、CS11219、CS11218、CS11217、CS11213、CS11211、CS11201、CS11202、CS11203、CS11204、CS11205
、CS11207、CS11301、CS11302、CS11303等のモトポジを用い得る。また、米国特許第3616005記載のラテックスエマルジョンも好適に用い得る。
【００１３】
又、本発明で用いられるビニルアセテートのホモポリマーは、ビニルアセテートモノマーを乳化剤、重合開始剤、触媒、保護安定剤、可塑剤、及び各種添加剤を適宜希釈し、混合して、従来公知の方法で乳化重合させることにより容易に得られる。
【００１４】
ビニルアセテートのコポリマーは、ビニルアセテートモノマーと、それと共重合させるモノマー(コモノマー)を混合して、乳化剤、重合開始剤、触媒、保護安定剤、可塑剤、及
び各種添加剤を適宜選択し、混合して、従来公知の方法で乳化重合させることにより容易に得られる。この場合、コモノマーとして利用できるものとして、アクリル酸エステル、アクリル酸アミド、アクリル酸、メタクリル酸、メタクリル酸エステル、マレイン酸、マレイン酸無水物、及びフマル酸、から選ばれる一種または二種以上のモノマーが挙げられる。このうち、画像プリント上の画像を含む薄い層を転写するという機能の観点から判断して、好ましいコモノマーは、アクリル酸エステル、アクリル酸アミド、アクリル酸、メタクリル酸、メタクリル酸エステル、マレイン酸、マレイン酸無水物及びフマル酸からなる群から選ばれる一種または二種以上のモノマーである。より好ましいコモノマーとしてはアクリル酸エステル、アクリル酸アミド、アクリル酸、メタクリル酸、メタクリル酸エステル、マレイン酸、マレイン酸無水物からなる群から選ばれる一種または二種以上のモノマーが挙げられる。特に好ましいコモノマーとしては、アクリル酸エステル、アクリル酸アミド、アクリル酸、メタクリル酸、メタクリル酸エステルからなる群から選ばれる一種または二種以上のモノマーが挙げられる。
【００１５】
成分(a)の組成は上記の組成を有するものならばなんでもよいが、例えば、不揮発成分55％の、ポリビニルアセテートの水性ラテックスおよびジブチルフタレートの重量％が、
それぞれ80〜95%および5〜20％、好ましくは85〜95％および5％〜15％、さらに好ましく
は90〜95％および5〜10％含む組成物が例示できる。より具体的には、不揮発性分55％の
ポリビニルアセテートの水性ラテックス92.5重量％とブチルフタレート7.5重量％とを含
む組成物が例示できる。
【００１６】
可塑剤としては、ジブチルフタレートを含むフタル酸エステル等の汎用品が好ましく用いられる。本発明において、可塑剤の添加量は組成物全体に対して３〜３０重量％が好ましい。可塑剤の添加量が３重量％以下の場合は乾燥後に硬くなり、３０重量％を超えると、乾燥後の粘着性が強くがベタつく。
【００１７】
また、該成分(a)はそれ自体水分を含んでいてもよく、例えば、不揮発成分を含む、ビ
ニルアセテートを主成分とし、ジブチルフタレート等の可塑剤または安定剤を含有するコポリマーを含む水性ラテックスを例示することができる。このような水性ラテックスとして、不揮発性成分を含み、ビニルアセテートを主成分とし、アクリレートを副成分として含有するコポリマーにさらにジブチルフタレートを混合したものが挙げられる。
【００１８】
「樹液」とは、植物体の液体成分をいい、松、白樺、メイプル、砂糖キビ、甜菜の樹液が好ましい。これらの植物体から得られる樹液を単独で用いることもできるし、二種以上を混合したものを用いることもできる。樹液は、植物体表面から自然に流出してくるものを用いることもできるし、植物体から種々の方法で抽出したものを用いることもできる。例えば、白樺等の樹の表面に傷をつけて樹液を漏出させたものを用いることができ、また白樺等の幹に適当な太さのチューブを差込み、植物体内を流れる液体を採集して用いることもできる。また、このようにして得られた樹液を例えばフィルター処理して固形成分等を除去して用いてもよい。樹液の成分の一部が含まれている限り本発明の「樹液」に含まれる。例えば、市販の白樺樹液を用いてもよい。白樺樹液の成分として、果糖、ブドウ糖、アミノ酸、リンゴ酸、多糖類（キレラン）、配糖類（シリンガレジノール）およびその他ミネラル類が例示できる。白樺樹液の組成は、採取時期、採取場所により変動がある。
【００１９】
「果実液」とは、植物の果実の液体成分をいい、ブトウ、モモ、柑橘類、リンゴ、バナナ、スイカ、メロン、チェリー、ナシ、パイナップル、ヤシ、パパイヤ、マンゴー、ドリアン等の果実の液体成分を用いることができる。これらの果実の液体成分を単独で用いることもできるし、二種以上を混合したものを用いることもできる。果実液は、前記果実からミキサー処理等により得ることができる。このようにして得られた果実液を例えばフィルター処理して固形成分等を除去して用いてもよい。果実液の成分の一部が含まれている
限り本発明の「果実液」に含まれる。主成分を人工的に混合して作製した人工液体（人工果実液）も本発明の「果実液」に含まれる。
【００２０】
「花蜜」とは、植物の花の蜜腺から分泌される多糖類をいう。花蜜の主成分を人工的に混合して作製した人工液体（人工花蜜）も本発明の「花蜜」に含まれる。
【００２１】
「蜂蜜」とは、ミツバチが植物の花の蜜腺から多糖類である花蜜を胃（蜜嚢）の中に吸い取って、単糖類に分解しながら吐き出して巣房の中に蓄えたものをいう。レンゲ、トチ、アカシアから得られるものを一種または二種以上含むものを用いることができる。蜂蜜の主成分を人工的に混合して作製した人工液体（人工蜂蜜）も本発明の「蜂蜜」に含まれる。
【００２２】
上記の樹液、果実液、蜂蜜、花蜜は水分を含んでおり（例えば、白樺樹液は約90〜約95％の水分を含んでいる）、最終的に本発明の素材組成物に含ませるべき水分含量に応じて、適宜水で希釈することができるし、また濃縮して水分含量を低下させてもよい。
【００２３】
「糖類」とは、単糖、二糖、多糖を含み、例えばキシリトール、ショ糖、果糖、グルコース、キトサン、キチン、マンナン、グアーガムが例示される。これらの糖を単独で用いることもできるし、二種以上を混合したものを用いることもできる。
【００２４】
(i) 樹液、果実液、花蜜、蜂蜜および糖類からなる群より選ばれる一種または二種以上を含む成分もしくは(ii) 樹液、果実液、花蜜および蜂蜜の主成分をそれぞれ含む人工樹
液、人工果実液、人工花蜜および人工蜂蜜の添加量は、組成物全体対して５〜５０容量％が好ましい。５容量％以下の場合は、画像転写フィルムの延伸性が悪い。水の含有量について、組成物全体の５５重量％〜９５重量％が好ましい。５５重量％以下の場合は画像転写フィルムの延伸性が悪く、９５重量％以上の場合は画像転写フィルムが脆弱になる。なお、後述のように本発明で用いる画像転写液に着色剤を添加し、印刷機を用いて被印刷物に印刷することができるが、この場合は水の容量を増やしたり、水性有機溶媒等を添加し、印刷に適した粘度に調整することができる。
さらに、本発明の画像転写液は、紫外線カット剤等を含んでいてもよい。
【００２５】
上記の本発明の素材組成物の成分（a）として、例えば国際公開公報WO02/24801号に記
載の皮膜形成エマルジョン組成物を用いることができる。この皮膜形成用エマルジョン組成物は、国際公開公報WO02/24801号の記載の成分組成を有し、該公報の記載に従って調製することができる。
【００２６】
２．立体的レプリカの作製
本発明は、前記の画像転写液を目的の対象物の画像プリント上に塗布し乾燥させ、画像を含む画像層部分を残して画像プリントの他の部分を除去し画像プリント上の画像を転写した画像転写フィルムを作製し、該画像を転写した画像転写フィルムを、目的の対象物の立体形状を表した立体被転写物上に貼り付けることを含む対象物の立体的レプリカを作製する方法を包含する。
【００２７】
本発明において、目的の対象物とは立体的レプリカを作製しようとする立体物をいい、立体的なものならば何でも対象物となり得る。例えば、動物の全体もしくは部分、微生物の全体もしくは部分、ウイルス、植物の全体もしくは部分、動物、植物の化石等が含まれる。動物、植物、微生物の部分には内臓、手等の器官、組織も含まれる。また、化石としては例えばイチョウ類、シダ類、三葉虫、カブトガニ、アンモナイト、オーム貝等の化石が挙げられる。さらに、目的の対象物には、惑星、恒星、衛星等の天体物、彫刻物、建造物、遺跡等も含まれる。
【００２８】
本発明において、立体的レプリカとは前記目的の対象物の立体形状および表面に現れている模様、色彩、絵柄等の全部または一部を類似させて表現した物、すなわち再現した物をいう。一部とは立体物の片側から視覚で認識できる立体形状、模様、色彩、絵柄等を含む。例えば、ヒトの手の立体的レプリカを作製する場合、手全体を表現したレプリカを作製することもできるし、手の表側または裏側から見た形状、色彩等を表現したレプリカを作製することもできる。大きさは目的の対象物と同じでもよいし、大きくても小さくてもよい。例えば、巨大な月等の形状、表面の模様、色彩を似せた野球ボール程度の大きさの月の縮小レプリカを作製することができ、また微小藻類、細菌等の形状、表面の模様、色彩を似せた肉眼や触覚により観察可能な、微生物の拡大レプリカを作製することもできる。この場合、目的の対象物の立体的形状を表した立体物の２次元的な縮小または拡大率と目的の対象物の画像の縮小または拡大率を適合させればよい。また、レプリカの真性品（本物）との類似の程度も限定されず、対象物の大きさ、形状、色彩、模様等を写実的にそっくり再現させることもできるし、全体または一部をデフォルメしたレプリカでもよい。
【００２９】
本発明において「画像を転写した画像転写フィルム」とは、前記の画像転写液を画像プリント上に塗布し乾燥させ、画像を含む画像層部分を残して画像プリントの他の部分を除去することにより得られる、該画像層部分を有するフィルムをいい、該画像転写フィルムを被転写物に貼り付けることにより画像プリント上の画像を別の被転写物に写すことができる。画像とは、物の形状、色彩、模様、絵柄、記号、図形、文字、地図、設計図、配線図等を線画で表現したものをいう。
【００３０】
画像プリントは、転写しようとする目的の対象物の画像が表面に表された物をいう。印刷用紙等の被印刷物に印刷用インク等を用いて印刷により画像が表されているもの、写真プリント、コピー機によりコピーしたカラーまたは白黒画像だけでなく、紙、合成紙等に鉛筆、マジック、ボールペン、クレヨン、絵の具等の筆記用具により文字、記号、線等が描かれたものをも含む。この中でもカラー写真からとったトナー式のコピー機でコピーしたコピー画像がトナーの転写性が良いことから望ましい。この場合、画像は転写しようとする目的の対象物の全体を表していても、部分を表していてもよい。被印刷物の種類は限定されず、紙、スチレン系合成紙等の合成紙等があり、また用いられているインクの種類も限定されない。
【００３１】
塗布とは前記画像プリントの画像上に画像転写液を塗りつけることをいい、その厚さは限定されない。塗布は１回でもよいが厚みを出し画像を転写した画像転写フィルムの強度（対延伸性や引き掻き等に対する強度）を確保するために数回、好ましくは５回程度繰り返し塗布する。乾燥は、自然に風乾させてもよいし、ドライヤー等を用いて熱、風等により強制的に乾燥させてもよい。自然乾燥の場合、数分から20分程度で乾燥する。この場合、ドライヤー等を用いても泡立ちや変形等は生じない。
【００３２】
画像を含む画像層部分を残して除去するとは、画像プリントが紙の場合、画像転写液を塗布した側の反対側の紙を剥離除去し、画像を表しているインクが付着した薄い層のみを残すことをいう。剥離除去は本発明の画像を転写した画像転写フィルムを水やぬるま湯に浸してから行なうのがよい。水やぬるま湯に浸す時間は数分、好ましくは５分以内で足りるが、長時間浸したままにしておいてもよい。剥離除去は指でこすり紙を剥がしてもよいし、へら等の適当なスクレーパーを用いて紙をかきとるように除去してもよい。また、剥離除去操作を行なわなくても紙の種類によっては、画像液を塗布し乾燥させた後に、乾燥した画像転写液を紙からはがすことにより、紙の画像を含む画像層部分のみ乾燥した転写液に付着させることができる。この場合も、画像を含む画像層部分を残して除去するという。また、本発明において画像層部分は前述のようにインクにより画像を表している被印刷物のインクの存在する薄い層をさすこともあれば、インクのみでできた層をさすことも
ある。後者の場合、画像を含む画像層部分を残して除去するとは、画像プリントに画像転写液を塗布し、画像を表すインクを画像転写液に写すことをいう。このようにして、本発明の画像転写フィルムを得ることができる。
【００３３】
画像転写フィルムを貼り付ける目的の対象物の立体形状を表した立体物は、本発明の方法により画像が転写される被転写物であり、材質は限定されず紙、木、布、粘土、合成樹脂（塩化ビニール、ポリエステル、アクリル、ポリカーボネート、メラミン、ABS、AS、PS、尿素成形品、発泡スチロール等のスチロール、スチレン系合成紙、ナイロンなど）、
金属（鉄、アルミニウム、ステンレス、チタン、マグネシウム、銀、金、白金など）、天然物（貝殻、骨、皮革、ヒト等の動物の皮膚など）、鉱物（岩石、宝石など）、ガラス、セラミック等を用いることができる。本発明の画像転写フィルムは、柔軟で伸縮性もあり、引っ張ることによりフィルムを引き伸ばせるので、被転写物の形状も限定されず、複雑な形状を有する立体物でもよい。表面が粗雑なもの、曲面等複雑な形状の表面をもつものでもよい。立体物等に本発明の画像転写フィルムを貼り付ける場合、適宜全体的にまたは部分的にフィルムを引き伸ばし、立体形状と画像が適合するように貼り付けることができる。本発明の画像転写フィルムはフィルムが破れることなくまた画像が割れることなく直線方向に約1.5倍、面積換算で約2.25倍以上に引き伸ばすことができる。この時、引き伸
ばし過ぎても、乾燥前ならば被転写物から剥がして水に浸すことにより、容易に元の大きさに戻る（形状記憶性を有する）。立体物の凹凸が大きい場合、正面からの撮影等により得た画像の面積は、実際の立体物の表面積よりも小さくなる。このような場合であっても、本発明の画像転写フィルムを任意の方向に任意の程度に引き伸ばすことにより、転写フィルム上の画像の面積と立体物の表面積をほぼ同じにすることができ、立体の形状に合わせて画像転写フィルムを貼り付けることができる。但し、画像転写フィルムを引き伸ばすことにより、物体の表面に表されている模様、絵柄等が実際の模様、絵柄とは異なってみえるようになることもある。この場合は、後述のように立体物体を複数の方向（視点）から表した画像転写フィルムを使用すればよいし、立体物体に画像転写フィルムを貼り付けるときの画像転写フィルムの全体的なまたは部分的な引き伸ばしの倍率を予測あるいは実測しておいて、引き伸ばした時点で立体物体の表面の模様、絵柄等が正確に再現できるように画像を処理しておいてもよい。このような画像処理は画像の電子データを画像処理ソフトにより処理することにより容易に行なうことができる。
【００３４】
立体レプリカを作製する場合、粘土、樹脂等の可塑性物質で所望の形状を造形してもよい。例えば、特定の種類の魚の立体形状を樹脂で造形し魚の立体形状を有する立体物を作製し、そこに該魚の画像を転写した画像転写フィルムを該魚の立体形状を有する立体物に貼り付けることにより、形状、色、模様等が本物の魚を模倣した魚の立体レプリカを作製することができる。貼り付けるとは、画像を転写した画像転写フィルムを被転写物に密着させることをいう。また、この際前述のように画像を転写した画像は目的の対象物の全体を表していても、部分を表していてもよく、対象物の全体を表す立体的レプリカを作製する場合には、立体物を複数の方向（視点）から表した画像プリントを作製し、それぞれのプリントから得られた画像転写フィルムをそれぞれの方向から見える部分に貼り付ければよい。この際の視点の方向の数は限定されず、立体物の形状によるが、例えば、球状に近いような立体物の場合、立体の上下左右前後方向からの６つの視点から表した画像を用いれば、立体物の全体形状が比較的正確に再現できる。また、対象物が魚や二枚貝のように、比較的平面的な形状を有する場合、表側を表した画像と、裏側の画像を表した２つの画像転写フィルムを作製し、立体物の表裏に貼り付ければ、立体全体を正確に再現したレプリカを作製することが可能である。さらに、一枚の画像転写フィルムに目的の対象物の各部分が別々に表わされていてもよい。例えば、一枚の画像転写フィルム上に魚の体の部分、ひれの部分等が別々に表されており、それぞれの部分を切り取り、部分ごとに魚の立体物に貼り付けてもよい。このように、立体物の部分の画像を貼り付ける場合、前述のように各部分の画像を任意の方向に任意の程度だけ引き伸ばして、各部分の大きさに適合させ
て貼り付けることができる。さらに、対象物の全体を表した画像転写フィルムを被転写物に貼り付けてさらにその上に対象物の部分を表した画像転写フィルムをその部分の画像に重なるようにして貼り付けてもよく、この場合は、より立体的なレプリカが得られる。例えば、魚のレプリカを作製する場合、魚のひれの部分のみを表した画像転写フィルムを魚全体を表した画像転写フィルムのひれ部分に重ねることにより、魚のひれの部分がより立体的に表現された魚のレプリカを作製することができる。
【００３５】
本発明で用いる画像転写液は乾燥後も粘着性を有しており、また画像を転写しようとする画像プリントの表面付近の内部にも吸収されているので、被転写物にそのまま貼り付けることにより粘着し得る。また、この際水を付けることにより粘着性が増す。さらに、被転写物の表面が粗雑である場合等には粘着しにくくなるが、この場合は適当な接着剤を用いて貼付けてもよい。接着剤としては通常の糊、ボンド、接着剤が用いられるし、また、本発明で用いる画像転写液も接着剤として用いることができる。
【００３６】
さらに、被転写物が可塑性物質である場合、可塑性物質を造形する前に画像を転写した画像転写フィルムをのせ、その後に立体物の立体形状を造形することもできる。可塑性物質としては、紙粘土、鉱物粘土、合成樹脂製粘土等が挙げられるが、可塑性を有しており自由に造形できるものならば如何なる物でもよい。ここで、画像を転写し乾燥した画像転写液をのせるとは、強く貼り付けず軽く接触させることをいう。その後の立体物の立体形状造形過程で画像転写フィルムが被転写物に強く密着する。この場合、あらかじめ可塑性物質を大雑把に立体物の立体形状に造形しておいて、転写した画像をみながらその画像に合わせて造形することができる。すなわち画像転写フィルムの上から画像中の線画に従って凹凸を形成し、画像の対象物の立体形状を再現できるので、より正確に立体物の形状を造形することができる。さらに、レプリカを装飾用の板等の上に作製する場合、板にあらかじめ対象物の画像を貼り付けておいて、該画像の上で対象物を造形してもよい。
【００３７】
前記画像転写液で作製した画像転写フィルムは完全乾燥させても柔軟なため、コート紙などに挟むなどして長期間保管することが可能である。
【００３８】
このようにして作製した画像を転写した被転写物に各種コーティング剤を塗布することにより、優れた耐紫外線性、耐水性、耐擦傷性、耐熱性等の性質を付与することができる。コーティング剤は限定されず、ニス、ワックス、合成樹脂等を用いればよい。さらに、本発明の画像転写液自体をコーティング剤として塗布してもよい。
【００３９】
本発明は、このようにして得られた立体物をも包含する。該立体物は、目的の対象物の立体形状を有する立体物に前記画像を転写した画像転写フィルムが貼り付けられ密着したものである。
【００４０】
本発明は、さらに少なくとも前記画像転写液を含む画像転写用キットをも包含する。該キットはさらに、立体物造形のための可塑性物質、特定の対象物の画像を表している画像プリント、画像転写法の説明書等を含んでいてもよい。また、あらかじめ特定の対象物の立体形状を有する無画像の立体物、該対象物の画像を表した画像転写フィルムを含むキットも本発明に包含される。
【００４１】
さらに、前記の本発明の画像転写液に着色剤を混合し、インクジェットプリンター、謄写版印刷機等の孔版印刷機を用いて被印刷物上に目的の対象物の画像を着色剤添加画像転写液で印刷し、さらに印刷面に本発明の画像転写液を塗布して乾燥させて、画像を含む画像層部分を残して画像プリントの他の部分を除去し画像プリント上の画像を転写した画像転写フィルムを作製し、該画像を転写した画像転写フィルムを、目的の対象物の立体形状を表した立体被転写物上に貼り付けることを含む対象物の立体的レプリカを作製する方法
も本発明に包含される。この場合、画像層は本発明の画像転写液に着色剤を混合したもので形成される。本発明の画像転写液に混合する着色剤として、公知の染料化合物、有機顔料化合物、無機顔料化合物等が挙げられる。本発明の画像転写液をプリンターによる印刷用インクとして用いる場合は、印刷機の種類にもよるが水含量を増減させることにより粘度を調整する。例えば、インクジェットプリンターで用いる場合、粘度は小さい方が好ましく、例えば画像転写液中の成分(a)、成分(b)および水を容積比で１：１：１で混合すればよい。水溶性染料化合物は、一般の水溶性インクの染料成分として使用されるものでよく、限定されず、ブラック、シアン、マゼンタ、イエロー等の色を与える公知の色素成分として用いられるものを用いることができる。例えば、アシッド・イエロー17、アシッド・イエロー23、アシッド・イエロー73、ダイレクト・イエロー86等のイエロー染料、アシッド・レッド１、アシッド・レッド８、アシッド・レッド14、アシッド・レッド37、アシッド・レッド52、アシッド・レッド87、アシッド・レッド92、アシッド・レッド103、ア
シッド・レッド289、リアクティブレッド４等のマゼンタ染料、アシッド・ブルー９、ア
シッド・ブルー92、アシッド・ブルー87、リアクティブブルー15、ダイレクト・ブルー86等のシアン染料、アシッド・ブラック２、ダイレクトブラック22、ダイレクトブラック154等のブラック染料等を用いることができる。有機顔料化合物有機顔料化合物としては、
例えばアニリンブラック、ファーストイエロー、ジスアゾイエロー、パーマネントオレンジ、リゾールレッド、レーキレッドC、パーマネントレッド2B、ブリリアントカーミン6B
、カーミン3B、コバルトバイオレット、メチルバイオレットレーキ、フタロシアニンブルー、ファーストスカイブルー、フタロシアニングリーン等を用いることができる。これらの着色剤の添加量も限定されず用いる着色剤の種類に応じて適宜決定すればよいが、着色剤を含む画像転写液全量に対して、0.1〜20重量％、好ましくは0.5〜15重量％である。
【００４２】
湿潤剤は、ノズル詰まりを抑制し、インク吐出安定性を高めるために添加する。湿潤剤として、例えばグリセロール、ジエチレングリコール、トリエチレングリコール、低分子量ポリエチレングリコール、ポリビニルアルコール、エチルアルコール、イソプロピルアルコールなどを用いることができる。
【００４３】
水溶性有機化合物は水とともにインク媒体として用いられる。有機化合物としては、多価アルコール類（エチレングリコール、ジエチレングリコール、トリエチレングリコール、ポリエチレングリコール、ポリプロピレングリコール、グリセロール等）、多価アルコールアルキルエーテル類（エチレングリコールモノエチルエーテル、エチレングリコールモノブチルエーテル、ジエチレングリコールモノメチルエーテル、ジエチレングリコールモノエチルエーテル、テトラエチレングリコールモノメチルエーテル、プロピレングリコールモノエチルエーテル等）、多価アルコールアリールエーテル類（エチレングリコールモノフェニルエーテル、エチレングリコールモノベンジルエーテル等）、含窒素複素環化合物類（N-メチル-2-
ピロリドン、N-ヒドロキシエチル-2- ピロリドン、1,3-ジメチルイミダゾジノン、ε-カプロラクム、γ-ブチロラクトン等）、アミド類（ホルムアミド、N-メチルホルムアミド、N,N-ジメチルホルムアミド等）、アミン類（モノエタノールアミン、ジエタノールアミン、トリエタノールアミン、モノエチルアミン、ジエチルアミン、トリエチルアミン等）、含硫黄化合物類（ジメチルスルホキシド、スルホラン、チオジエタノール等）、及びカーボネート類（プロピレンカーボネート、エチレンカーボネート等）等が用いられる。水溶性有機化合物の添加料は、着色剤を含む画像転写液全量に対して、0.1〜20重量％程度が好ましい。
【００４４】
水および水溶性有機化合物の添加量により任意に着色剤を含む画像転写液の粘度を調整することができる。着色剤を含む画像転写液の粘度は、限定されないがインクジェットプリンターで用いる場合、１〜20mP.S程度が好ましい。本発明の着色剤を含む画像転写液は、インクジェットプリンターのみならず、謄写版印刷、シルクスクリーン印刷等の孔版印刷、ジークレー印刷や後述の立体物製造機器等にも用いることができ、またプリントゴッ
コ（登録商標、理想科学工業社製）、リソグラフ（登録商標、理想科学工業社製）等の市販の孔版印刷の原理を利用した印刷機にも用いることができる。必要な粘度は用いる印刷機器により適宜決定することができる。例えば、謄写版印刷、シルクスクリーン印刷、ジークレー印刷で用いる着色剤を含む画像転写液の粘度は高めになる。
【００４５】
界面活性剤は、着色剤を含む画像転写液の表面張力や濡れ性を調整し、ヘッドでの乾燥を防いだり、紙等の被印刷物へのにじみを防止し得る。界面活性剤としては、例えば、アニオン性界面活性剤、カチオン性界面活性剤、ノニオン性界面活性剤及び両性界面活性剤が挙げられる。
【００４６】
紫外線吸収剤としては、ベンゾフェノン系、ベンゾトリアゾール系、シアノアクリレート系、サリチル酸系のもの等が挙げられる。ベンゾフェノン系としては２，４−ジヒドロキシベンゾフェノン等が挙げられ、ベンゾトリアゾール系としては２−（２’−ヒドロキシ−５’−メチルフェニル）ベンゾトリアゾール等が挙げられ、サリチル酸系としてはｐ−ｔ−ブチルフェニルサリシレート等が挙げられる。紫外線吸収剤の添加量は限定されないが、着色剤を含む画像転写液全量に対して0.05〜0.5重量％とするのが望ましい。
【００４７】
抗菌剤としては、有機系抗菌剤、無機系抗菌剤および天然抗菌剤等が挙げられる。有機系抗菌剤としては、トリクロサン、クロルヘキジジン、ジンクピリチオン、クロルキシレノール等が挙げられ、無機系抗菌剤としては、銀ゼオライト系、抗菌ガラス、リン酸ジルコニウム銀系、銀錯体系等が挙げられ、天然抗菌剤としては、キトサン、カテキン、ヒノキチオール等が挙げられる。
【００４８】
本発明の着色剤を含む画像転写液をインクジェットプリンターを用いた印刷に用いることができる。インクジェットプリンターには、インクの射出方法の違いにより、大きく電圧を加えることにより変形する素子（ピエゾ素子）を用いてその変形によりヘッド内のインク収納スペースを減少させ、この圧力によりインクを吐出するピエゾ方式のものと、ノズル中のヒータを加熱することにより泡を生成し、この泡によりインクを押し出すサーマルインクジェット方式のものがあるが、本発明の印刷用インクを用いた印刷にはいずれの方式のプリンターも用いることができる。このようなインクジェットプリンターとしては、市販のプリンターを用いることができ、例えば、EPSON社のPMシリーズのインクジェッ
トプリンターが挙げられる。
【００４９】
プリンターのインクカートリッジに本発明の着色剤を含む画像転写液を充填し、プリンターに設置し、通常通り印刷を行なえばよい。また、この際１回に吐出される液量や吐出速度を自由に設定でき、液量を多くすれば印刷物を立体的にすることもできる。
【００５０】
また、本発明の着色剤を含む画像転写液はジークレー印刷のインクとしても用いることができる。ジークレー印刷とは、スクリーンを使用せずダイレクトにインクを版画紙やキャンバスに吹き付ける技法をいう。
【００５１】
さらに、本発明の着色剤を含む画像転写液を謄写版印刷（孔版印刷）用のインクとして用いることができる。謄写版印刷とはろう引き原紙に鉄筆やタイプの圧力により多くの細かい穴をあけ、その穴からにじみ出るインクを紙にうつしとる印刷法をいうが、本発明においてはこの原理を用いた印刷、すなわち適当な原紙（フィルター、スクリーン等とも呼び、紙、絹、ナイロン、テトロン、ステンレス、スティールなどでできている）に適当な手段で穴をあけインクが通るようにし、紙等の被印刷物に前記穴を通してインクを写しとることにより印刷を行なうあらゆる印刷法を含める。例えば、シルクスクリーン（シルクスクリーン・プロセス・プリンティング、セリグラフ）印刷、やプリントゴッコ（登録商標、理想科学工業株式会社製）、リソグラフ（登録商標、理想科学工業社製）等の孔版印
刷法を応用した印刷機を用いた印刷にも本発明の着色剤を含む画像転写液を用いることができる。
【００５２】
３．画像転写用媒体
本発明は、前記画像転写液をフィルム形成用基体に塗布し、乾燥させ該フィルム形成用基体表面にフィルムを形成させた、フィルム形成用基体表面に前記画像転写液から形成された画像転写フィルムを有する画像転写用媒体をも包含する。フィルム形成用基体とは、紙、フィルム等をいい、表面に前記画像転写液からなるフィルムが形成される基質となる。材質は限定されず紙、木、布、塩化ビニール、ポリエステル、アクリル、ポリカーボネート、メラミン、ABS、AS、PS、尿素成形品、発泡スチロール等のスチロール、スチレン
系合成紙、ナイロン等が含まれる。この中でも、フィルム形成用基体としては表面に白土等によるコーティングを施したものが好ましい。コーティングを施したものを用いることにより、フィルム形成用基体をこすりとることなく容易にフィルム形成用基体から画像転写フィルムを剥がすことができる。コーティングを施したフィルム形成用基体としては、プリンター用印刷用紙として用いられるコート紙やアート紙等の塗工印刷用紙が望ましい。コート紙およびアート紙とは、上質紙、中質紙に白土等の塗料を塗布したものである。画像転写液を塗布するとは、前記フィルム形成用基体に前記画像転写液を薄く塗ることをいい、筆等で塗布してもよいし、エアブラシ等の適当な液射出手段を用いて塗布してもよいし、フィルム形成用基体を画像転写液に浸すことにより塗布してもよい。さらに、インクジェットプリンター、ドットプリンター等の印刷手段を用いて、フィルム形成用基体の全面に画像転写液を印刷により塗布してもよい。前記適当な液射出手段には適当なプロペラントと共に本発明で用いる画像転写液を詰めた缶、ビン等であって液噴射手段を備えたものも含まれる。塗布は数回繰り返すことが望ましく、繰り返し塗布回数は２〜５回であり、好ましくは２、３回である。このようにフィルム形成用基体に画像転写液を塗布して乾燥させることにより本発明の画像転写用媒体を得ることができる。該画像転写用媒体は、前記フィルム形成用基体表面に前記画像転写液を乾燥させたフィルムを有する。ここで、画像転写用媒体とは画像を物から物へ転写するための媒体（画像を担い運ぶ物）の意味である。
【００５３】
このようにして得られた画像転写用媒体のフィルム表面に目的の対象物の画像を印刷する。ここで、画像転写用媒体への画像の印刷はインクジェットプリンター、ドットプリンター等の印刷器を用いて行なえばよく、またシルクスクリーン印刷や謄写版印刷等の孔版印刷等の印刷方法により行なってもよい。孔版印刷は例えばプリントゴッコ（登録商標、理想科学工業社製）、リソグラフ（登録商標、理想科学工業社製）等によっても行なえる。さらに、目的の対象物の画像をコピー機によりフィルム表面にコピーしてもよい。この場合はトナー式のコピー機が望ましい。さらに、画像を印刷した後に、フィルム上に前記画像転写液を数回重ねて塗布する。画像転写液の塗布により画像が保護され、インクの剥がれを防止することができる。この画像転写液の塗布は、レプリカ作製後に行なってもよい。また画像転写液の代わりにコーティング剤を塗布してもよい。このコーティング剤としてはニス、クリア等の合成樹脂でできたコーティング剤が含まれる。目的の対象物の画像を印刷した画像転写用媒体から、前記対象物を含む画像層部分以外の部分を除去することにより前述の画像を転写した画像転写フィルムと同等の画像を印刷した画像印刷フィルムが得られ、画像転写フィルムと同様に被転写物に貼り付けることができる。この際、フィルム形成用基体が塗工印刷用紙の場合は、フィルム形成用基体と画像印刷フィルムは容易に剥がすことができる。また、フィルム形成用基体が塗工印刷用紙ではない場合は、フィルム形成用基体を擦り取り画像を含む画像層部分を残して他の部分を除去することにより剥離除去することができる。この際、フィルム面に画像を印刷するためのインクとして、前記の本発明の画像転写液に着色剤を混合したものを用いてもよい。本発明の画像転写液に混合する着色剤として用い得るものは上記の通りである。
【００５４】
本発明は、このようにして得られた立体物をも包含する。該立体物は、目的の対象物の立体形状を有する立体物に前記画像を印刷した画像転写用媒体が貼り付けられ密着した物も包含する。
【００５５】
さらに、本発明は少なくとも前記画像転写用媒体を含むキットをも包含する。該キットはさらに、立体物造形のための可塑性物質、特定の対象物の画像を表している画像転写用媒体、画像転写法の説明書等を含んでいてもよい。また、あらかじめ特定の対象物の立体形状を有する無画像の立体物、該対象物の画像を表した画像転写フィルムを含むキットも本発明に包含される。さらに、該キットは画像転写フィルム表面の転写された画像保護のためのコーティング剤を含んでいてもよく、コーティング剤としては、画像転写用媒体に塗布される画像転写液が望ましい。
【００５６】
４．画像転写液を用いた画像の転写
さらに本発明の画像転写液を用いて物の表面上に印刷または描かれた画像のみを転写することができる。該物には紙、木、布、塩化ビニール、ポリエステル、アクリル、ポリカーボネート、メラミン、ABS、AS、PS、尿素成形品、発泡スチロール等のスチロール、ス
チレン系合成紙、ナイロン等が含まれる。本発明により転写される画像は印刷されたものばかりではなく鉛筆、マジック、ボールペン、クレヨン、絵の具等の筆記用具により紙、合成紙、布、樹脂、木、金属等の表面上に描かれた文字、記号、線等も含む。さらに、紙に付された印章も含む。
【００５７】
画像転写液を乾燥固化させ、該固化物を画像に押し付けることにより、固化物に画像が転写され、さらに画像が転写された画像転写液固化物を他の被転写物に押し付けることにより、画像のみ該被転写物に転写することができる。被転写物は、紙、木、布、塩化ビニール、ポリエステル、アクリル、ポリカーボネート、メラミン、ABS、AS、PS、尿素成形
品、発泡スチロール等のスチロール、スチレン系合成紙、ナイロン等が含まれる。
【００５８】
さらに、本発明で画像転写液に物体の表面の微視的形状を転写することができる。微視的形状を転写した画像転写液を乾燥固化させることにより、物体の表面の微視的形状のスタンプとしても用いることができる。物体の形状の微視的形状としては、例えば指紋が挙げられる。
【００５９】
５．画像転写フィルムの積層による立体的レプリカの作製
本発明は前記の画像転写液を画像プリント上に塗布し、乾燥させ画像を含む画像層部分を残して除去し画像プリント上の画像を転写する方法により、目的の立体対象物の異なる位置の複数の断層図であって該複数の断層が互いに平行である断層図を表す複数の画像プリント上に画像転写液を塗布し、それぞれ乾燥させ断層図画像を含む画像層部分を残して除去し複数の画像転写フィルムを作製し、該複数の断層図を表す複数の画像転写フィルムを積層することを含む、対象物の内部の構造を表した立体的レプリカを作製する方法および画像転写用媒体のフィルム表面に、目的の立体対象物の異なる位置の複数の断層図であって該複数の断層が互いに平行である断層図を印刷し、該断層図が印刷された複数の画像転写フィルムを作製し、該複数の断層図を表す複数の画像転写フィルムを積層することを含む、対象物の内部の構造を表した立体物を作製する方法をも包含する。
【００６０】
これらの方法により、立体の内部構造を表した立体的レプリカを作製することができる。「目的の立体対象物の異なる位置の複数の断層図であって該複数の断層が互いに平行である断層図」とは、例えば球状の物体を平行に輪切りにした場合のそれぞれの切片断面に表される図をいう。断層図の数、断層図と断層図の間の幅はレプリカが対象物を再現する正確さや、対象物の大きさ、画像を転写した画像転写フィルムの厚さにより変わるが、断層図と断層図の間の幅が小さくなり、断層図の数が大きくなるほど、正確に立体の構造を
再現できる。例えば、直径３cmの球形の胚発生中の鳥の卵を0.1mm幅で断層図を約300枚作成し、それぞれの画像を表した0.1mmの厚さの約300枚の画像転写フィルムを積層することにより、胚発生中の鳥の卵の内部構造を正確に再現したレプリカを作製することができる。また、立体レプリカの表面にはさらに対象物の外部から見た画像を表している画像転写フィルムを貼り付けてもよく、この場合、立体対象物の内部と外観の両方を再現したレプリカを作製することができる。また、断層図と断層図の間の幅が大きい場合、断層図を表している画像転写フィルムと画像転写フィルムの間に無画像の画像転写フィルムを介在させて、画像転写フィルム間の幅が断層図と断層図の間の幅に対応するようにしてもよい。この場合、対象物の内部構造の再現性は低くなるものの外部形状の再現性は高くなる。また、無画像の画像転写フィルムを介在させる他、画像転写フィルムに画像転写液を繰り返し塗布し厚みを調節することもできる。例えば、20〜30回繰り返し塗布することにより、約0.5mmの厚さとなる。
【００６１】
断層図は、実際に対象物を輪切りにして写真撮影等により作成してもよいが、X線断層
撮影装置、磁気共鳴断層撮影装置、ポジトロン断層撮影装置、超音波断層撮影装置等を用いて断層図を撮影するのが望ましい。これらの装置は断層図を電子データとして処理することが可能であり、例えば、対象物を前後方向に断層撮影して得られた断層図を上下方向の断層図に変換することも可能である。
【００６２】
本発明により、ヒトの器官、組織等の部分の内部構造を再現したレプリカを作製することができ、人体モデルとして利用することが可能である。本発明の画像転写液を乾燥させて得たフィルムは軟らかく、器官、組織等の柔らかさ、弾力性も再現することが可能な軟素材立体的レプリカを作製することができる。軟らかさは、本発明の画像転写液の水分含量を変えることにより調節可能である。ここで、軟素材立体的レプリカは、軟らかい材料でできた軟らかい立体的レプリカを意味する。
【００６３】
さらに、土台を中心にして画像転写フィルムを積層してもよく、例えば骨を土台にしてその回りに骨の周りの組織の断層図を表した画像転写フィルムを積層することができる。
【実施例】
【００６４】
以下本発明の実施例について記載するが、本発明はこれらの実施例には限定されない。〔実施例１〕  立体的レプリカの作製（ヒトの手のレプリカの作製）
市販の、不揮発成分５５％のポリビニルアセテートの水性ラテックス９２．５重量％とジブチルフタレート７．５重量％とを含む組成物と白樺樹液と水を５：１：１の容量比で混合して画像転写液を作製した。トータルの水の含量は、約５７重量％であった。
【００６５】
ヒトの手の写真をデジタルカメラで撮影し、該写真をトナープリンターで２枚印刷した。この時画像の大きさはヒトの手の大きさと同じにした。レプリカの土台となる木製板に１枚の画像プリントを木工用ボンドで貼り付けた。次いで、画像上に適当な量の紙粘土をのせ手の立体的形状を造形した。一旦手の形に造形した紙粘土をとり、板の上の画像に前記画像転写液を画像と紙粘土とを接着させる目的で塗布した。もう一枚の画像に画像転写液を５回重ねて塗布した。画像転写液が乾燥後、画像の手の形に２mmほど余白を設けて切り抜いた。この画像を水に浸し５分間放置した。水に浸した画像を取り出し、裏紙を指でこすって剥がし、手の画像を表している画像転写フィルムを作製した。次に、この画像転写フィルムを手の形に造形した紙粘土の上に載せモデラ（へら）を用いてさらに正確に造形した。次いで、画像転写フィルムを一旦はずし、紙粘土に上記画像転写液を紙粘土と画像転写フィルムを接着させる目的で塗布した。画像転写フィルムを再度のせ、画像に合わせてモデラで細かな凹凸をつけ、ヒトの手の形状の細部まで表現するように造形した。この時余分な紙粘土はこまめに除去した。レプリカの周りの板の上を水で洗浄し、最後に得られたレプリカにニスを塗布した。
得られたヒトの手のレプリカの写真を図１に、用いた手の画像を図２に示す。
【００６６】
〔実施例２〕  画像転写用媒体を用いた立体的レプリカの作製
実施例１で用いた画像転写液をコート紙（PAPER PALETTE F4 SUN-K Co., Ltd）に２回
重ねて塗布した。画像転写液を乾燥させた後実施例１で用いたヒトの手の画像をトナー式カラー印刷機（EPSON LP-2000C）で画像転写液を塗布した面に印刷し画像転写用媒体を作製した。次いで、印刷面にさらに画像転写液を２回重ねて塗布した。実施例１と同様に土台となる木製板にヒトの手の画像の印刷物を木工用ボンドで貼り付けた後に、ヒトの手の立体形状を造形した。次いで、画像転写液を塗布した手の画像を表している画像転写用媒体から、画像の手の形に２mmほど余白を設けて切り抜いた。画像転写用媒体からコート紙を剥がし、手の画像を表している画像転写フィルムを得た。実施例１と同様に、画像転写フィルムを用いて、ヒトの手を造形した。
【００６７】
〔実施例３〕  画像転写フィルムの積層による立体的レプリカの作製
X線断層撮影装置で撮影したヒトの鼻の断層写真を準備した。断層写真と断層写真の間
の間隔は0.5mmであった。実施例２の方法により、画像転写媒体を作製し、前記断層写真
をトナー式カラープリンターで実施例２で用いたコート紙上に印刷した。断層図を表した画像転写用媒体の印刷面に実施例１で用いた画像転写液を２５〜３０回繰り返し得して、画像転写液の厚さを約0.5mmにした。断層図を表した画像転写媒体からコート紙を剥がし
、ヒトの鼻の断層を表した画像転写フィルムを得た。画像転写フィルムを鼻の形状が再現できるように積層した。最後に外側をカッターで切り鼻の形状にし、ヒトの鼻のレプリカを作製した。
図３に断層図を、図４に鼻のレプリカの写真を示す。
【００６８】
〔実施例４〕  本願発明の着色剤を含む画像転写液を用いたインクジェットプリンターによる印刷
市販の、不揮発成分55％のポリビニルアセテートの水性ラテックス92.5重量％とジブチルフタレート7.5重量％とを含む組成物（モトポジ（MOD PODGE
GROSS、PLAID社製カタロ
グ番号Item#CS11201））と白樺樹液と水を１：１：１の容積比で混合し、本発明の画像転写液を作製した。白樺樹液は、４月の白樺の若葉が芽吹く前に、幹に穴を空けその穴にパイプを取り付けて採取した。この組成物7mLに、インクジェットプリンター用黒インク（CANON
Ink BCI-11 Black）を0.3mL混合し、着色剤を含む画像転写液とした。
【００６９】
該着色剤を含む画像転写液をインクジェットプリンター用インクカートリッジ（EPSON ICIBK02）に充填し、インクジェットプリンター（EPSON
PM-770C）に装着し印刷した。印刷した像は、ヒトの頭部をCTスキャンで撮影して得た頭部断層図であった。図５に印刷物の写真を示す。図５上は、用いたインクジェットプリンターの専用黒色インクカートリッジを用いて印刷した印刷物であり、図５下は本願発明の着色剤を含む画像転写液を用いて印刷したものである。図５に示す図を１０回印刷しても、インクジェットプリンターのノズル等に詰まりは生じなかった。また、インクジェットプリンター用インクと本願発明の着色剤を含む画像転写液を用いて印刷した印刷物を比較すると、本願発明の着色剤を含む画像転写液を用いて印刷した印刷物の方が印刷物の像が鮮明であった。また、本願発明の着色剤を含む画像転写液を用いて印刷した印刷物の方がインクの渇きが早く、またより耐水性を有していた。
【００７０】
〔実施例５〕  本願発明の着色剤を含む画像転写液を用いた孔版印刷機による印刷
孔版印刷機の一つである理想科学工業社製のプリントゴッコ（登録商標）による印刷に本発明の着色剤を含む画像転写液を用いて孔版印刷を行った。
【００７１】
市販の、不揮発成分55％のポリビニルアセテートの水性ラテックス92.5重量％とジブチ
ルフタレート7.5重量％とを含む組成物（モトポジ（MOD PODGE GROSS、PLAID社製カタロ
グ番号Item#CS11201））と白樺樹液と水を８：２：１の容積比で混合し、本発明の画像転写液を作製した。さらに、プリントゴッコ（登録商標）専用インク（RISOハイメッシュインク
HM1NK、黒色）を等量混合し着色剤を含む画像転写液を作製した。この時点で本発明の着色剤を含む画像転写液の粘度が専用インクの粘度よりも低かったので、粘度をほぼ等しくするために、着色剤を含む画像転写液中の水分をドライヤーで加熱して蒸発させた。着色剤を含む画像転写液の体積が乾燥前の約３分の２になるまで水分を蒸発させたところ、専用インクの粘度とほぼ等しくなったので、これを印刷に用いた。
【００７２】
プリントゴッコ（登録商標）の取扱説明書に従って、本発明の着色剤を含む画像転写液およびプリントゴッコ（登録商標）専用インクを用いて印刷を行った。印刷した像は、ヒトの頭部をCTスキャンで撮影して得た頭部断層図であった。図６に本願発明の着色剤を含む画像転写液で普通紙に印刷した結果、図７にコート紙に印刷した結果を示す。プリントゴッコ（登録商標）用インクと本願発明の着色剤を含む画像転写液を用いて印刷した印刷物を比較すると、本願発明の着色剤を含む画像転写液を用いて印刷した印刷物の像の方が鮮明であった。また、コート紙に印刷した場合、プリントゴッコ（登録商標）用インクでは印刷むらが認められるのに対して本願発明の着色剤を含む画像転写液では認められなかった。
【００７３】
〔実施例６〕  立体物の作製
ヒトの鼻のMRI画像データから、約0.144mm間隔で元画像を作成した。該画像を厚さ約0.1mmの本発明の画像フィルムに印刷し、貼り重ねていった。
【００７４】
該画像フィルムは以下のようにして作製した。実施例１で用いた画像転写液をコート紙（PAPER PALETTE F4 SUN-K Co., Ltd）に２回重ねて塗布した。画像転写液を乾燥させた
後実施例１で用いたヒトの手の画像をトナー式カラー印刷機（EPSON LP-2000C）で画像転写液を塗布した面に印刷した。
【００７５】
画像フィルム50枚で約5mmの厚さとなった。最終的に、204枚重ねたので、約2.0cmの厚
さの立体物が得られた。立体物の大きさは、縦75mm、横55mm、厚さ23mmであった。図８に得られた立体物を上から見た写真、図９に下から見た写真、図１０に斜め横から見た写真、図１１に一部を切断した写真を示す。これらの写真中、内部の黒く見える部分が、鼻のモデルを形成している。
【図面の簡単な説明】
【００７６】
【図１】本発明の方法により作製したヒトの手のレプリカの写真である。
【図２】ヒトの手のレプリカの作製に用いた手の画像である。
【図３】ヒトの鼻の積層による立体レプリカを作製するための鼻の断層図である。
【図４】本発明の方法により作製したヒトの鼻の積層による立体レプリカである。
【図５】本願発明の着色剤を含む画像転写液を用いインクジェットプリンターにより印刷した印刷物を示す写真である。
【図６】本願発明の着色剤を含む画像転写液を用いて孔版印刷機により普通紙に印刷した印刷物を示す写真である。
【図７】本願発明の着色剤を含む画像転写液を用いて孔版印刷機によりコート紙に印刷した印刷物を示す写真である。
【図８】実施例６により作製された立体物を上からみた写真である。
【図９】実施例６により作製された立体物を下からみた写真である。
【図１０】実施例６により作製された立体物を斜め横からみた写真である。
【図１１】実施例６により作製された立体物を切断した写真である。
【図１】
2004314630.tif 000002
【図２】
2004314630.tif 000003
【図３】
2004314630.tif 000004
【図４】
2004314630.tif 000005
【図５】
2004314630.tif 000006
【図６】
2004314630.tif 000007
【図７】
2004314630.tif 000008
【図８】
2004314630.tif 000009
【図９】
2004314630.tif 000010
【図１０】
2004314630.tif 000011
【図１１】
2004314630.tif 000012